(57)【要約】プラズマディスプレイの電極の制御方法を提供する。その方法は、（ａ）第１行の第１電極、第２行の第２電極、第５行の第５電極及び第６行の第６電極にアドレッシング信号を供給し、その後に（ｂ）第３行の第３電極と第４行の第４電極にアドレッシング信号を供給する。第２行は第１行に隣接し、第３行は第２行に隣接し、第４行は第３行に隣接し、第５行は第４行に隣接し、第６行は第５行に隣接する。
2007516475.tif 000002
【特許請求の範囲】
【請求項１】
（ａ）第１行の第１電極、第２行の第２電極、第５行の第５電極及び第６行の第６電極にアドレッシング信号を供給し、その後に（ｂ）第３行の第３電極と第４行の第４電極にアドレッシング信号を供給することを含み、
前記第２行は前記第１行に隣接し、前記第３行は前記第２行に隣接し、前記第４行は前記第３行に隣接し、前記第５行は前記第４行に隣接し、前記第６行は前記第５行に隣接する、
プラズマディスプレイの電極の制御方法。
【請求項２】
前記アドレッシング信号の供給は、前記第１電極、前記第２電極、前記第５電極及び前記第６電極、その後に前記第３電極と前記第４電極の順に実行される、請求項１に記載の方法。
【請求項３】
前記第１、第２、第５及び第６電極に前記アドレッシング信号を供給する間、（ｉ）前記第３行の維持電極と（ｉｉ）前記第４行の維持電極とを無効化にすることをさらに含む、請求項１に記載の方法。
【請求項４】
前記第３電極と前記第４電極に前記アドレッシング信号を供給する間、（ｉ）前記第１行の維持電極、（ｉｉ）前記第２行の維持電極、（ｉｉｉ）前記第５行の維持電極、及び（ｉｖ）前記第６行の維持電極を無効化にすることをさらに含む、請求項３に記載の方法。
【請求項５】
前記第１電極は第１走査電極であり、前記第２電極は第２走査電極であり、
前記プラズマディスプレイは前記第１行の第１維持電極と前記第２行の第２維持電極とを有し、
前記第１走査電極と前記第２走査電極は、前記第１維持電極と前記第２維持電極間にある、請求項１に記載の方法。
【請求項６】
前記第３電極は第３走査電極であり、
前記プラズマディスプレイは前記第３行の第３維持電極を有し、
前記第２維持電極と前記第３維持電極は、前記第２走査電極と前記第３走査電極間にある、請求項５に記載の方法。
【請求項７】
前記プラズマディスプレイは、前記第１行の第１維持電極、前記第２行の第２維持電極、前記第３行の第３維持電極、及び前記第４行の第４維持電極を有し、
前記第１維持電極と前記第２維持電極を互いに同時に有効化及び無効化にし、
前記第３維持電極と前記第４維持電極を互いに同時に有効化及び無効化にする、請求項１に記載の方法。
【請求項８】
前記第１維持電極と前記第２維持電極は、第１バスに接続され、
前記第３維持電極と前記第４維持電極は、第２バスに接続される、請求項７に記載の方法。
【請求項９】
前記プラズマディスプレイは、前記第５行の第５維持電極と前記第６行の第６維持電極とをさらに有し、
前記第５維持電極及び前記第６維持電極を前記第１維持電極及び前記第２維持電極と同時に有効化及び無効化にする、請求項７に記載の方法。
【請求項１０】
前記プラズマディスプレイは、前記第６行に隣接した第７行の第７維持電極と、前記第７行に隣接した第８行の第８維持電極とをさらに有し、
前記第７維持電極及び前記第８維持電極を前記第３維持電極及び前記第４維持電極と同時に有効化及び無効化にする、請求項９に記載の方法。
【請求項１１】
第１維持電極と第１走査電極とを有する第１行と、
前記第１行に隣接し、第２維持電極と第２走査電極とを有する第２行と、
前記第２行に隣接し、第３維持電極と第３走査電極とを有する第３行と、
前記第３行に隣接し、第４維持電極と第４走査電極とを有する第４行と、
を有するプラズマディスプレイの電極の制御方法であって、
（ａ）前記第１走査電極と前記第２走査電極とにアドレッシング信号を供給している間、前記第３維持電極と前記第４維持電極とを無効化にし、
（ｂ）前記第３走査電極と前記第４走査電極とにアドレッシング信号を供給している間、前記第１維持電極と前記第２維持電極とを無効化にする、
プラズマディスプレイの電極の制御方法。
【請求項１２】
第１行の第１電極と、
前記第１行に隣接した第２行の第２電極と、
前記第２行に隣接した第３行の第３電極と、
前記第３行に隣接した第４行の第４電極と、
を有し、
前記第１電極と前記第２電極とを互いに同時に有効化及び無効化にし、
前記第３電極と前記第４電極とを互いに同時に有効化及び無効化にする、
プラズマディスプレイ。
【請求項１３】
前記第１電極と前記第２電極は、第１バスに接続され、
前記第３電極と前記第４電極は、第２バスに接続される、
請求項１２に記載のプラズマディスプレイ。
【請求項１４】
前記第１電極は第１維持電極であり、前記第２電極は第２維持電極であり、
前記プラズマディスプレイは、
前記第１行の第１走査電極と、
前記第２行の第２走査電極と、
をさらに有し、
前記第１走査電極と前記第２走査電極は、前記第１維持電極と前記第２維持電極の間にある、
請求項１２に記載のプラズマディスプレイ。
【請求項１５】
前記第３電極は第３維持電極であり、
前記プラズマディスプレイは、前記第３行の第３走査電極をさらに有し、
前記第２維持電極と前記第３維持電極は、前記第２走査電極と前記第３走査電極の間にある、
請求項１４に記載のプラズマディスプレイ。
【請求項１６】
前記第４電極は第４維持電極であり、
前記プラズマディスプレイは、前記第４行の第４走査電極をさらに有し、
前記第３走査電極と前記第４走査電極は、前記第３維持電極と前記第４維持電極との間にある、
請求項１４に記載のプラズマディスプレイ。
【請求項１７】
前記第４行に隣接した第５行の第５電極と、
前記第５行に隣接した第６行の第６電極と、
をさらに有し、
前記第５電極及び前記第６電極を前記第１電極及び前記第２電極と同時に有効化及び無効化にする、
請求項１２に記載のプラズマディスプレイ。
【請求項１８】
前記第６行に隣接した第７行の第７電極と、
前記第７行に隣接した第８行の第８電極と、
をさらに有し、
前記第７電極及び前記第８電極を前記第３電極及び第４電極と同時に有効化及び無効化にする、
請求項１７に記載のプラズマディスプレイ。
【請求項１９】
（ａ）前記第１行、前記第２行、前記第５行及び前記第６行をアドレッシングし、その次に、
（ｂ）前記第３行及び前記第４行をアドレッシングする、
コントローラをさらに有する、請求項１７に記載のプラズマディスプレイ。
【請求項２０】
（ａ）前記第１行、前記第２行、前記第５行及び前記第６行の順にアドレッシングし、その次に、
（ｂ）前記第３行及び前記第４行の順にアドレッシングする、
コントローラをさらに有する、請求項１７に記載のプラズマディスプレイ。
【請求項２１】
前記第１行と前記第２行をアドレッシングしている間、前記第３電極と前記第４電極を無効化にする、コントローラをさらに有する、請求項１２に記載のプラズマディスプレイ。
【請求項２２】
前記コントローラは、前記第３行と前記第４行をアドレッシングしている間、前記第１電極と前記第２電極も無効化にする、請求項１２に記載のプラズマディスプレイ。
【請求項２３】
第１維持電極及び第１走査電極を有する第１行と、
前記第１行に隣接し、第２維持電極及び第２走査電極を有する第２行と、
前記第２行に隣接し、第３維持電極及び第３走査電極を有する第３行と、
前記第３行に隣接し、第４維持電極及び第４走査電極を有する第４行と、
（ａ）前記第３維持電極及び前記第４維持電極を無効化にし、前記第１走査電極及び前記第２走査電極の順にアドレッシング信号を供給し、その次に（ｂ）前記第１維持電極及び前記第２維持電極を無効化にし、前記第３走査電極及び前記第４走査電極の順にアドレッシング信号を供給する、コントローラと、
を有するプラズマディスプレイ。
【発明の詳細な説明】
【技術分野】
【０００１】
本発明はプラズマディスプレイに関し、特に電極の壁電荷に悪影響を及ぼさずにピクセル間の垂直クロストークを抑制するプラズマディスプレイに関する。
【背景技術】
【０００２】
プラズマディスプレイは、共に張り合わされた前面基板と背面基板とを有する。それらの板の間に形成される空間に、放電可能なガスが満たされている。前面基板は、電極の水平の行を含み、各行は、走査電極と平行に設けられた維持電極とにより形成される。走査電極と維持電極は、誘電体層と酸化マグネシウム（ＭｇＯ）層とにより覆われている。背面基板は、垂直の隔壁（バリア・リブ）と垂直の列電極とを支える。カラーディスプレイにおいて、個々の列電極は、赤、緑、又は青（ＲＧＢ）の燐光体で覆われる。ピクセルは、（ｉ）走査電極及び維持電極と、（ｉｉ）それぞれ赤、緑、及び青色の３つの列電極との交差点に近い領域として定義される。サブピクセルは、赤、緑又は青の列電極と、維持電極及び走査電極の電極対との交差点に対応する。
【０００３】
走査電極は、アドレス期間において、個々に駆動される。アドレス期間において、垂直の列電極にデータ電圧が印加されることにより、アドレッシング放電が引き起こされて、各行に沿うサブピクセルがアドレスされる。これにより、各行は選択される。維持期間において、共通の維持パルスが全ての走査電極に印加され、アドレス期間にアドレスされた各サブピクセルの領域でプラズマ放電が繰り返し発生する。
【０００４】
維持電極は、アドレッシング動作において、走査電極の基準点を供給する。維持期間において、共通の維持パルスは、走査電極に印加される維持パルスと異なる位相で、全ての維持電極に印加され、プラズマは維持電極と走査電極との間で交互の方向に放電する。
【０００５】
維持電極の対が走査電極の対の間に配置されたプラズマディスプレイがある。例えば、電極は、以下の順序で配置される。
第１行，維持電極；
第１行，走査電極；
第２行，走査電極；
第２行，維持電極；
第３行，維持電極；
第３行，走査電極；
第４行，走査電極；
第４行，維持電極；
等。
【０００６】
このように、第１行と第２行の走査電極は第１の走査電極対を形成し、第３行と第４行の走査電極は第２の走査電極対を形成する。第２行と第３行の維持電極は、第１と第２の走査電極対の間に配置された一つの維持電極対を形成する。
【０００７】
電極対を交互に配置することにより、電極対を交互に配置しない場合と比較して、電極間の容量がより低くなる。より低い電極間の容量は、大型のプラズマディスプレイにおいて有益である。
【０００８】
ピクセル間のギャップは、隣接したピクセル間の空間の領域である。ピクセル間のギャップの空間を小さくした場合、一対の電極に存在する共通の電位により、隣接するピクセルの領域、特に垂直の方向において、誤ったクロストークの放電及び／又は壁電荷の漏れが生じ得る。上述したように、交互に配置された電極対において、いくつかのピクセル間のギャップは、隣接した走査電極間に存在し、いくつかのピクセル間のギャップは隣接した維持電極間に存在する。
【０００９】
維持ギャップは、放電が起こる走査電極と維持電極間の空間の領域である。正に充電された電極は陽極として動作し、負に充電された電極は陰極として動作する。十分な電圧が、維持ギャップ間に印加されると、ガスは絶縁破壊を起こし、放電プラズマを生成する。放電プラズマは、２つの別個の領域、すなわち陽光柱と負グローを含む。陽光柱は、主に陽極電極の表面の正電荷を探す、速く移動する電子により構成される。これに対して、負グローは、陰電気を帯びて充電された陰極電極に向かって及び陰極電極の中をドリフトする、ゆっくり移動するイオンを含む。放電の持続時間は、電極の誘電性の表面の電荷の量により制限される。
【００１０】
各走査電極は、独立してアドレス可能な走査駆動部により駆動される。ピクセルのアドレス期間において、ピクセルの走査電極用の走査駆動部は、ピクセルの列電極に印加されるデータパルスと一致した、行選択パルスを出力する。その結果、ピクセルの走査電極と維持電極との間にアドレス放電が発生する。アドレス放電は、維持電極を分離するピクセル間のギャップ中を広がることができる陽光柱の領域と、維持電極対を分離するピクセル間のギャップの中の隣接した走査電極の壁電荷を低減することができる負グローの領域とを生成する。
【発明の開示】
【発明が解決しようとする課題】
【００１１】
ＵＳ特許出願第１０／３０５，５６０号は、陽光柱クロストークを最小化するインタレースアドレッシング（interlaced addressing）に関連した垂直クロストークの抑制技術を開示している。しかしながら、走査電極対の第１の走査電極でインタレースアドレッシングを行うとき、走査電極対の第２の走査電極の放電領域でいくらかの壁電荷の漏れが起こり、第２の走査電極の壁電荷が減少してしまう。特に、アドレス放電のゆっくり移動する負グローの部分は、第１の走査電極中を広がり、第２の走査電極の壁電荷を消耗する傾向にある。その後に、第２の走査電極がアドレスされるとき、減少した壁電荷は減少していない壁電荷が必要とする電圧よりも高いアドレス電圧を必要とする。消費電力は電圧の二乗に比例し、陽光柱のクロストークはより高いアドレス電圧で特に起こりやすいので、高いアドレス電圧は望ましくない。
【課題を解決するための手段】
【００１２】
プラズマディスプレイの電極の制御方法は、（ａ）第１行の第１電極、第２行の第２電極、第５行の第５電極及び第６行の第６電極にアドレッシング信号を供給し、その後に（ｂ）第３行の第３電極と第４行の第４電極にアドレッシング信号を供給することを含む。第２行は第１行に隣接し、第３行は第２行に隣接し、第４行は第３行に隣接し、第５行は第４行に隣接し、第６行は第５行に隣接する。
【００１３】
プラズマディスプレイは、第１行の第１電極と、第１行に隣接した第２行の第２電極と、第２行に隣接した第３行の第３電極と、第３行に隣接した第４行の第４電極と、を有する。第１電極と第２電極は互いに同時に有効化及び無効化にされ、第３電極と第４電極は互いに同時に有効化及び無効化にされる。
【発明の効果】
【００１４】
プラズマディスプレイは、電極の壁電荷に悪影響を及ぼさずに且つ隣接するピクセルのために高いアドレッシング電圧を不利に要求せずに、ピクセル間の垂直クロストークを抑制する。また、対の第２走査電極をアドレスするために必要な最小のアドレッシング電圧を低減することにより、アドレッシングマージン（addressing margin）を改善する。
【発明を実施するための最良の形態】
【００１５】
図１は、プラズマディスプレイの電極の構成の図であり、その一部がプラズマディスプレイ１００として図示されている。プラズマディスプレイ１００は、複数の維持電極１０５と複数の走査電極とを有する。個々の維持電極は、維持電極Ｂ−１、Ｂ−２、・・・、Ｂ−１０として図示されている。同様に、個々の走査電極１１０は、Ａ−１、Ａ−２、・・・、Ａ−１０として図示されている。
【００１６】
維持電極１０５と走査電極１１０は、行を構成する。第１行は、維持電極Ｂ−１と走査電極Ａ−１とを含み、第２行は第１行に隣接し、維持電極Ｂ−２と走査電極Ａ−２とを含み、・・・、第１０行は第９行に隣接し、維持電極Ｂ−１０と走査電極Ａ−１０とを含む。
【００１７】
維持電極１０５の対は、走査電極１１０の対の間に配置される。例えば、走査電極Ａ−１と走査電極Ａ−２は一対の走査電極を形成し、走査電極Ａ−３と走査電極Ａ−４もまた一対の走査電極を形成する。維持電極Ｂ−２と維持電極Ｂ−３は、（ｉ）走査電極Ａ−１及び走査電極Ａ−２の対と（ｉｉ）走査電極Ａ−３及び走査電極Ａ−４の対との間に配置される、一対の維持電極を形成する。さらに、走査電極Ａ−１と走査電極Ａ−２は、維持電極Ｂ−１と維持電極Ｂ−２との間にあり、走査電極Ａ−３と走査電極Ａ−４は、維持電極Ｂ−３と維持電極Ｂ−４との間にある。
【００１８】
各維持電極と各走査電極は、金属部分と導電性の透明領域とを含む。例えば、金属部分２０４は維持電極Ｂ−１に示され、透明領域２０３は走査電極Ａ−１に示される。透明領域２０３は、光を通す酸化インジウムスズ（ＩＴＯ）等の材料により形成される。この材料は半導性である。金属部分２０４は透明材料の低い導電性を補うための高い導電性の経路を形成する。金属部分２０４は不透明である。透明性と導電性は交換の関係である。
【００１９】
第１行に対する放電領域２０６−１を維持電極Ｂ−１と走査電極Ａ−１との間に示す。同様に、第２〜１０行に対する放電領域２０６−２、２０６−３、・・・、及び２０６−１０をそれぞれ示す。
【００２０】
垂直の隔壁（バリア・リブ）は、ある放電領域の放電が水平方向に隣接した放電領域に影響を及ぼすことを防ぐ。例えば、隔壁２０５は、隔壁２０５の左側に示される放電領域２０６−１から２０６−１０が、隣接領域から隔壁２０５の右側に影響を与えることを防ぐ。
【００２１】
ピクセルは、（ｉ）走査電極及び維持電極と、（ｉｉ）それぞれ赤色、緑色、及び青色の３つの列電極（図示せず）との交差点に近い領域として定義される。サブピクセルは、赤、緑、又は青の列電極と、維持電極及び走査電極の電極対との交差点に対応する。本開示の動作は、ピクセルとサブピクセルの両方に適用可能であるが、簡単のため、ピクセルに関する動作について説明する。
【００２２】
ピクセル間のギャップ（interpixel gap）２０８は、走査電極Ａ−１と走査電極Ａ−２との間、すなわち第１行と第２行との間に示される。ピクセル間のギャップ２０７は、維持電極Ｂ−２と維持電極Ｂ−３との間、すなわち第２行と第３行との間に示される。ピクセル間のギャップ２０９は、維持電極Ｂ−４と維持電極Ｂ−５、すなわち第４行と第５行との間に示される。参照符号を示していないけれども、第３行と第４行との間、及び隣接する第５行〜第１０行のそれぞれの間には、ピクセル間のギャップが存在する。
【００２３】
維持電極Ｂ−１、Ｂ−２、Ｂ―５、Ｂ−６、Ｂ−９及びＢ−１０は、バスｘ１２０に接続され、維持電極Ｂ−３、Ｂ−４、Ｂ−７及びＢ−８はバスｙ１１５に接続される。バスｘ１２０からの信号は、維持電極Ｂ−１、Ｂ−２、Ｂ―５、Ｂ−６、Ｂ−９及びＢ−１０を制御し、バスｙ１１５からの信号は、維持電極Ｂ−３、Ｂ−４、Ｂ−７及びＢ−８を制御する。維持電極Ｂ−１、Ｂ−２、Ｂ―５、Ｂ−６、Ｂ−９及びＢ−１０は、互いに同時に有効化及び無効化される。同様に、維持電極Ｂ−３、Ｂ−４、Ｂ−７及びＢ−８は、互いに同時に、有効化及び無効化される。
【００２４】
バスｘ１２０は、維持電極Ｂ−１、Ｂ−２、Ｂ―５、Ｂ−６、Ｂ−９及びＢ−１０のそれぞれに共通の一つの導体か、又は維持電極Ｂ−１、Ｂ−２、Ｂ―５、Ｂ−６、Ｂ−９及びＢ−１０を個々に制御する複数の別個のラインとして形成されても良い。同様に、バスｙ１１５は、維持電極Ｂ−３、Ｂ−４、Ｂ−７及びＢ−８のそれぞれに共通の一つの導体か、又は維持電極Ｂ−３、Ｂ−４、Ｂ−７及びＢ−８を個々に制御する複数の別個のラインとして形成されても良い。
【００２５】
画像は、プラズマディスプレイ１００のピクセルの状態、すなわちオン又はオフを形成することにより、プラズマディスプレイ１００により表示される。時間はフレームに分割され、各フレームはサブフィールドに分割される。
【００２６】
図２は、図１の電極に印加される種々の信号のグラフである。信号は、走査電極駆動信号Ａ１〜Ａ１０、維持バスｘ信号、維持バスｙ信号、及びＸデータ信号を含む。図２は、順に、セットアップ期間、アドレス期間、及び維持期間、に区切られたサブフィールを表す。
【００２７】
セットアップ期間の間、ＯＮピクセルはＯＦＦして、弱い放電が各ディスプレイサブピクセルに発生し、アドレッシングの準備のための酸化マグネシウム層が用意される。
【００２８】
アドレス期間の間、走査電極駆動信号Ａ１〜Ａ１０は、走査電極Ａ−１〜Ａ−１０にそれぞれ印加され、（電圧Ｖｓｃａｎから電圧Ｖｓｅｌｅｃｔへの）ロウの（low-going）走査駆動信号Ａ１〜Ａ１０は、アドレッシングのために対応する行を有効化にする。図１及び図２において、走査電極Ａ−１〜Ａ−１０をアドレッシングする順序は、アドレッシングシーケンス２０１とアドレッシングシーケンス２０２により表される。
【００２９】
所定の行が有効化された後、列駆動部（図示せず）は画像データをロードする。図２において、Ｘデータの波形は、列駆動部の出力を示す。列駆動部は、選択された列電極に列電圧Ｖｘを印加する。選択された行、すなわちＡ１〜Ａ１０により供給されるロウパルスと、列電圧Ｖｘの印加とが一致する、ピクセル領域において、選択された走査電極１１０と隣接する維持電極１０５との間で、段階的な放電となる弱い放電が発生する。
【００３０】
アドレス期間の始めに、維持バスｙ信号は維持電極Ｂ−３、Ｂ−４、Ｂ−７及びＢ−８に供給される電圧を（ＶｅからＶｉｓｏに）低減する。これにより、アドレス期間の最初の半分、維持電極Ｂ−３、Ｂ−４、Ｂ−７及びＢ−８は無効化にされる。アドレス期間の最初の半分の間、維持バスｘ信号は、維持電極Ｂ−１、Ｂ−２、Ｂ―５、Ｂ−６、Ｂ−９及びＢ−１０を有効化にする電圧レベルＶｅである。
【００３１】
アドレス期間の半分のところで、維持バスｙ信号は、維持電極Ｂ−３、Ｂ−４、Ｂ−７及びＢ−８の電圧をＶｅに戻して、維持電極Ｂ−３、Ｂ−４、Ｂ−７及びＢ−８を有効化にする。また、維持バスｘ信号は、維持電極Ｂ−１、Ｂ−２、Ｂ―５、Ｂ−６、Ｂ−９及びＢ−１０の電圧をＶｉｓｏに低減して、維持電極Ｂ−１、Ｂ−２、Ｂ―５、Ｂ−６、Ｂ−９及びＢ−１０を無効化にする。
【００３２】
図２において、次の半分のアドレス期間の間、Ｘデータパルスは、走査駆動信号Ａ４のロウパルスと一致する。この信号の一致により、放電領域２０６−４でアドレス放電が起こると想定する。維持電極Ｂ−４と維持電極Ｂ−５との間のクロストークは、次の半分のアドレス期間の間、維持電極Ｂ−５の低電位（すなわちＶｉｓｏ）により最小化される。これは、維持電極Ｂ−４の有効化電圧Ｖｅは、基準とする走査電極Ａ−４の電圧が有効化電圧Ｖｅより低い大きさのとき、走査電極Ａ−４の電圧と維持電極Ｂ−５の無効化電圧Ｖｉｓｏとを基準とするからである。
【００３３】
アドレッシングシーケンス２０１の間、走査電極Ａ−１と走査電極Ａ−２は、順にアドレスされ、その次に走査電極Ａ−５と走査電極Ａ−６、それから走査電極Ａ−９と走査電極Ａ−１０と続く。維持電極Ｂ−１、Ｂ−２、Ｂ―５、Ｂ−６、Ｂ−９及びＢ−１０は、維持バスｘ信号によりハイに駆動されることにより有効化になり、放電領域２０６−１、２０６−２、２０６−５、２０６−６、２０６−９及び２０６−１０で連続してアドレス放電を発生する。維持電極Ｂ−３及び維持電極Ｂ−４は、維持バスｙ信号により、ロウに駆動されることにより無効化になり、ピクセル間のギャップ、例えば維持電極１０５間のピクセル間のギャップ２０７を陽光柱が広がることを防ぐ。アドレッシングシーケンス２０２は、アドレッシングシーケンス２０１の後に続いて起こる。
【００３４】
アドレッシングシーケンス２０２の間、走査電極Ａ−３、Ａ−４、Ａ−７及びＡ−８は、順にアドレスされる。維持電極Ｂ−３、Ｂ−４、Ｂ−７及びＢ−８は、維持バスｙ信号によりハイに駆動されることにより有効化になり、放電領域２０６−３、２０６−４、２０６−７、及び２０６−８で順にアドレス放電を発生する。維持電極Ｂ−１、Ｂ−２、Ｂ―５、Ｂ−６、Ｂ−９及びＢ−１０は、維持バスｘ信号によりロウに駆動されることにより無効化になる。
【００３５】
走査電極Ａ−１、Ａ−３、及びＡ−５等の各アドレス放電は、それぞれ走査電極Ａ−２、Ａ−４、及びＡ−６から電荷を奪う一方で、走査電極Ａ−２、Ａ−４及びＡ−６で放電の準備をするためのガスを活性化する。この準備は、壁電荷の消耗よりもアドレッシングに対して大きな利益になり、抑止となり、全体のアドレッシングマージンを改善する。アドレッシングマージンは、表示においてすべてのサブピクセルをアドレスするのに必要な最小電圧と、垂直クロストークが生じる前に印加される最大電圧との間の動作領域である。
【００３６】
放電領域２０６−３のアドレス放電は、走査電極Ａ−３と、それと交差するデータ電圧で駆動される垂直な列電極との間に形成される。アドレス放電が進行すると、速く移動する陽光柱は、有効化電圧Ｖｅで駆動される維持電極Ｂ−３に向かって伸びる。陽光柱は、維持電極Ｖ−２に印加される低い絶縁電圧Ｖｉｓｏにより、ピクセル間のギャップ２０７には広がらない。陽光柱の成長と同時に、アドレス放電の負グローの領域は、走査電極Ａ−３を横断してゆっくり広がる。走査電極Ａ−４に電圧Ｖｓｃａｎを印加することにより、ピクセル間のギャップ２０９を横断して走査電極Ａ−４へ広がることを遅らせることができるけれども、負グローはピクセル間のギャップ２０９のまわりの領域の垂直な列電極と走査電極Ａ−４の壁電荷を低減する。
【００３７】
走査電極Ａ−３のアドレス放電が完了すると、ＭｇＯ表面とガスボリュームは大きなエネルギーを与えられ、放電領域２０６−３のアドレッシングの直後に放電領域２０６−４がアドレスされた場合、放電領域２０６−３のアドレスは、放電領域２０６−４のアドレス放電の形成を促進するための準備となる。放電が進行すると、速く移動する陽光柱は、有効化電圧Ｖｅで駆動される維持電極Ｂ−４に向かって延びる。維持電極Ｂ−５に印加される低い絶縁電圧Ｖｉｓｏにより、陽光柱はピクセル間のギャップ２０９を横断して維持電極Ｂ−５に向かって延びない。
【００３８】
上記の電極構成、特にバスｙ１１５とバスｘ１２０の配置により、維持電極Ｂ−３と維持電極Ｂ−４は、バスｙ１１５を介して、走査電極Ａ−３と走査電極Ａ−４のアドレッシングのために、有効化電圧Ｖｅにより駆動され、バスｘ１２０は絶縁電圧Ｖｉｓｏにより駆動されて、陽光柱の成長を制限する。共同で、対のアドレッシングシーケンスにより、アドレス期間の中間地点でバスｘ１２０とバスｙ１１５が一旦切り替えられ、有効化電圧Ｖｅから絶縁電圧Ｖｉｓｏに維持電極を切り替えることにより消費される電力浪費を最小化する。
【００３９】
図３は、バスｘへの維持バスｘ信号、バスｙへの維持バスｙ信号、及び走査電極Ａ−１〜Ａ−１０への走査駆動信号Ａ１〜Ａ１０をそれぞれ供給するコントローラ３００のブロック図である。維持バスｘ信号は一つの信号であり、維持バスｙ信号は一つの信号である。このように、コントローラ３００は、プラズマディスプレイ１００の構成に適している。その構成において、バスｘ１２０は、維持電極Ｂ−１、Ｂ−２、Ｂ−５、Ｂ−６、Ｂ−９及びＢ−１０のそれぞれに共通の一つの導体であり、バスｙ１１５は、維持電極Ｂ−３、Ｂ−４、Ｂ−７、及びＢ−８のそれぞれに共通の一つの導体である。
【００４０】
図４は、コントローラ３００の別の例であるコントローラ４００のブロック図である。コントローラ４００において、別個の信号Ｂ１、Ｂ２、Ｂ５、Ｂ６、Ｂ９及びＢ１０は、維持電極Ｂ−１、Ｂ−２、Ｂ−５、Ｂ−６、Ｂ−９及びＢ−１０をそれぞれ駆動するための信号であり、別個の信号Ｂ３、Ｂ４、Ｂ７及びＢ８は、維持電極Ｂ−３、Ｂ−４、Ｂ−７、及びＢ−８をそれぞれ駆動するための信号である。このように、コントローラ４００は、バスｘ１２０とバスｙ１１５が複数の別個のラインとして構成されるプラズマディスプレイ１００の構成に適している。
【００４１】
アドレス放電は、一旦終了すると、アドレスされたピクセルをオン状態にする。駆動されていない列はオフ状態のままである。アドレス放電は可視光線を生成しているが、画像を適切に表示するための輝度は十分ではない。よって、アドレス期間の最後の行がアドレスされた後に維持期間が設けられる。
【００４２】
維持期間の間、走査発生器と維持発生器（図示せず）は、各維持パルスの印加により、瞬間の交流プラズマ維持放電が発生するように、交流の維持パルスを供給する。各維持放電は、周辺の燐光体を励起する紫外線を生成することにより、可視光線を生成する。フレーム内の各サブフィールドは、十分な数の維持パルスを含み、順番に放電し、各サブフィールドの所望の輝度を実現する。各ピクセルは、各サブフィールドにおいて個々にアドレスされ得るため、大きなカラーパレットが得られる。
【００４３】
前述の記述は単に実例であり、当業者にとっては、ここに記述された教えに対する様々な代案、組み合わせ、及び修正が考えられ得る。例えば、教えは、アドレス放電が、ピクセルを横断して潜在的に広がり、ピクセル間のギャップ中を広がって、隣接するサブピクセルのアドレス能力に影響を与える、他のＡＣプラズマディスプレイと波形構成に適用できる。本発明は、添付の請求の範囲に含まれるすべての代案、修正及び変更を含む。
【図面の簡単な説明】
【００４４】
【図１】プラズマディプレイの電極の構成の図
【図２】図１の電極に印加される種々の信号のグラフ
【図３】図１の電極に信号を供給するコントローラのブロック図
【図４】図３のコントローラの別の例のブロック図
【図１】
2007516475.tif 000003
【図２】
2007516475.tif 000004
【図３】
2007516475.tif 000005
【図４】
2007516475.tif 000006
【手続補正書】
【提出日】平成18年9月14日(2006.9.14)
【手続補正１】
【補正対象書類名】特許請求の範囲
【補正対象項目名】請求項２２
【補正方法】変更
【補正の内容】
【請求項２２】
前記コントローラは、前記第３行と前記第４行をアドレッシングしている間、前記第１電極と前記第２電極も無効化にする、請求項２１に記載のプラズマディスプレイ。
【国際調査報告】
2007516475.tif 000007
2007516475.tif 000008
2007516475.tif 000009